(57)【要約】【課題】袋の口部を強く閉じることが可能で、操作が容易な袋開閉自在ゴムバンドを提供する。【解決手段】リング状のゴムバンド３の内側の３点を集めて接着し、これら各点間の３つの中間位置で折り返されることでＵ字状の３つの枝部を形成する。すなわち、もっとも長い第１枝部５と、Ｕ字状の内部が第１枝部５の先端を通すことができる大きさを有する第２枝部７と、Ｕ字状の内部が接着された第３枝部９と、を形成する。第１枝部５と第２枝部７との間に両面テープ１１が貼り付けられ、第３枝部９の外面にはテープ１３が張られている。そして、袋の絞った口部の側面に、袋開閉自在ゴムバンド１に形成される第１枝部５を巻きまわし、その先端を、第２枝部７のＵ字状の中を通し、さらに、巻きまわし方向と反対の方向へ巻き戻し、第３枝部９へ引っ掛けることで、ゴムバンド３の弾性力と摩擦力で、袋の口部を強く閉じることができる。【選択図】図1
2005280813.tif 000002
【特許請求の範囲】
【請求項１】
リング状のゴムバンドの内側の３点を集めて接着し、これら各点間の３つの中間位置で折り返されることでＵ字状の３つの枝部が形成されたことを特徴とする袋開閉自在ゴムバンド。
【請求項２】
前記３つの枝部は、もっとも長い第１枝部と、Ｕ字状の内部が前記第１枝部の先端を通すことができる大きさを有する第２枝部と、Ｕ字状の内部が接着された第３枝部と、からなり、前記第１枝部と前記第２枝部との間に両面テープが貼り付けられ、前記第３枝部の外面にはテープが張られていることを特徴とする請求項１に記載の袋開閉自在ゴムバンド。
【請求項３】
請求項１に記載の袋開閉自在ゴムバンドを用い、袋の絞った口部の側面に、前記３つの枝部のうち一つの第１枝部を巻きまわす第１手順と、次に、この第１枝部の先端を、巻きまわし方向に隣接する他の第２枝部のＵ字状の中を通す第２手順と、さらに、前記第１枝部の先端を前記巻きまわし方向と反対の方向へ巻き戻し、巻き戻し方向に隣接するさらに他の第３枝部へ、前記第１枝部のＵ字状の先端を引っ掛ける第３手順と、からなることを特徴とする袋開閉自在ゴムバンドの使用方法。
【請求項４】
請求項２に記載の袋開閉自在ゴムバンドを用い、袋の絞った口部の側面に、前記両面テープを接着し、前記３つの枝部のうち一つの第１枝部を巻きまわす第１手順と、次に、この第１枝部の先端を、巻きまわし方向に隣接する他の第２枝部のＵ字状の中を通す第２手順と、さらに、前記第１枝部の先端を前記巻きまわし方向と反対の方向へ巻き戻し、巻き戻し方向に隣接する他の第３枝部へ、前記第１枝部のＵ字状の先端を引っ掛ける第３手順と、からなることを特徴とする袋開閉自在ゴムバンドの使用方法。
【発明の詳細な説明】
【技術分野】
【０００１】
この発明は、例えばごみ収集所に出すゴミ袋の口部を開閉自在に閉じるゴムバンドに関する。
【背景技術】
【０００２】
例えばごみ収集所に出すゴミ袋の口部は、生ゴミなどの臭いが漏れると、カラスの被害などをひどくすることがあり、口部をしっかりと閉じる必要がある。従来は、口部を引っ張って結ぶなどしていたが、臭いを出さないなどの観点からは不完全であり、完全にするためにガムテープなどで巻いて閉じていた。
【０００３】
しかし、ガムテープを使うと、後から出たゴミなどを再び同じゴミ袋に入れようとしても口部を開けることができない。
これに対し従来、鉄線入りの紐を使って、ゴミ袋の口部の開閉を自在にしたものが提案されている。
【特許文献１】実用新案登録第３００２６８９
【発明の開示】
【発明が解決しようとする課題】
【０００４】
しかしながら、鉄線入りの紐は閉じる力を強くしようとすると、鉄線を強くねじらなければならず、強くねじると今度は開けるときに操作が面倒であるという問題点を有していた。
【０００５】
また、このような問題点は、、生ゴミなどの臭いが問題になるゴミ袋だけではなく、開閉を行う他の袋についても同様に存在していた。すなわち、冷蔵庫の中で食品を保存する袋、湿り気を吸いやすいお菓子などを入れる袋、強い臭いが外部に漏れることが問題となる漬物などを入れる袋、乾燥してしまうことが不都合となる食品を入れる袋などである。
この発明は、以上の問題点を解決するために、ゴミ袋などの袋の口部を強く閉じることが可能で、操作が容易な袋開閉自在ゴムバンドを提供することを目的とする。
【課題を解決するための手段】
【０００６】
以上の課題を解決するために、第一発明は、 リング状のゴムバンドの内側の３点を集めて接着し、これら各点間の３つの中間位置で折り返されることでＵ字状の３つの枝部が形成されたことを特徴とする袋開閉自在ゴムバンドである。
第二発明は、更に、前記３つの枝部は、もっとも長い第１枝部と、Ｕ字状の内部が前記第１枝部の先端を通すことができる大きさを有する第２枝部と、Ｕ字状の内部が接着された第３枝部と、からなり、前記第１枝部と前記第２枝部との間に両面テープが貼り付けられ、前記第３枝部の外面にはテープが張られていることを特徴とする袋開閉自在ゴムバンドである。
第三発明は、第１発明の袋開閉自在ゴムバンドを用い、袋の絞った口部の側面に、前記３つの枝部のうち一つの第１枝部を巻きまわす第１手順と、次に、この第１枝部の先端を、巻きまわし方向に隣接する他の第２枝部のＵ字状の中を通す第２手順と、さらに、前記第１枝部の先端を前記巻きまわし方向と反対の方向へ巻き戻し、巻き戻し方向に隣接するさらに他の第３枝部へ、前記第１枝部のＵ字状の先端を引っ掛ける第３手順と、からなることを特徴とする袋開閉自在ゴムバンドの使用方法である。
第四発明は、第二発明の袋開閉自在ゴムバンドを用い、袋の絞った口部の側面に、前記両面テープを接着し、前記３つの枝部のうち一つの第１枝部を巻きまわす第１手順と、次に、この第１枝部の先端を、巻きまわし方向に隣接する他の第２枝部のＵ字状の中を通す第２手順と、さらに、前記第１枝部の先端を前記巻きまわし方向と反対の方向へ巻き戻し、巻き戻し方向に隣接する他の第３枝部へ、前記第１枝部のＵ字状の先端を引っ掛ける第３手順と、からなることを特徴とする袋開閉自在ゴムバンドの使用方法である。
【発明の効果】
【０００７】
第一、第二、第三、又は第四発明によれば、袋の絞った口部の側面に、袋開閉自在ゴムバンドに形成される第１枝部を巻きまわし、その先端を、第２枝部のＵ字状の中を通し、さらに、巻きまわし方向と反対の方向へ巻き戻し、第３枝部へ引っ掛けることで、ゴムバンドの弾性力と摩擦力で、袋の口部を容易に強く閉じることができる。また、容易に開けることができる。
【０００８】
第二、又は第四発明によれば、さらに、袋の口部の側面に、袋開閉自在ゴムバンドの両面テープを接着することで、袋開閉自在ゴムバンドを袋に取り付けることができ、よって袋の口部を開いたときに、袋開閉自在ゴムバンドをなくすことがない。
【発明を実施するための最良の形態】
【０００９】
この発明の実施形態を、図１〜図３に示す。
まず、この実施形態に係る袋開閉自在ゴムバンド１の製造方法を示す。図３（Ａ）に示すように、所定の幅を有する帯状でリング状のゴムバンド３を用意する。幅は例えば６ｍｍで、リング状の全長は２００ｍｍである。次に図３（Ｂ）（Ｃ）に示すように、このゴムバンド３の内側の３点Ｐ１、Ｐ２、Ｐ３を集めて、アロンアルファなどの接着剤４で接着する。これにより、これら各点Ｐ１、Ｐ２、Ｐ３間の３つの中間位置Ｂ１、Ｂ２、Ｂ３で折り返されることで、Ｕ字状の３つの枝部５，７，９が形成される。これらの枝部のうち、もっとも長い第１枝部５は、接着剤４を用いてＵ字状がほとんど閉じており、例えば６３ｍｍの長さとする。第２枝部７は、Ｕ字状の内部が開いてリング状になっており、リング状の内部は第１枝部５の先端を通すことができる十分な大きさを有する。このリング状の全長は例えば３７ｍｍとする。第３枝部９は、Ｕ字状の内部が完全に接着されて固くなり、例えば１０ｍｍの長さとする。このとき、図３（Ｂ）に示すように、第３枝部９を先に接着すると製造が容易である。
【００１０】
そして、図３（Ｃ）に示すように、第１枝部５と第２枝部７との間に、例えば幅が６ｍｍ、長さが２０ｍｍの両面テープ１１が貼り付けられる。また、図３（Ｄ）に示すように、第３枝部９の外面には目立つ色のテープ１３が貼られ、テープ１３の固さが加わって、第３枝部９は更に固くなり、後述するように、第１枝部５のＵ字状の先端を引っ掛けやすくなる。
【００１１】
「開閉操作」
この実施形態に係る袋開閉自在ゴムバンド１を用い、ゴミ袋１５の口部を閉じる操作を説明する。まず、図１（Ａ）に示すように、ゴミ袋１５の絞った口部の側面に、両面テープ１１を接着し、袋開閉自在ゴムバンド１を略水平に取り付ける。そして、３つの枝部のうち一つの第１枝部５を、この第１枝部５の先端が延びている方向（図中左方向）へ、右回りに巻きまわす。
【００１２】
次に、図１（Ｂ）に示すように、この第１枝部５の先端を、第１枝部５と巻きまわし方向（右回り方向）に隣接する他の第２枝部７のＵ字状の中へ通す。さらに、図１（Ｂ）（Ｃ）に示すように、第２枝部７の中を通した第１枝部５の先端を、巻きまわし方向と反対の方向（左回り方向）へ巻き戻す。更に、巻き戻し方向（左回り方向）に隣接する他の第３枝部９へ、図１（Ｄ）に示すように、第１枝部５のＵ字状の先端を引っ掛ける。第３枝部９は接着剤とテープ１３により固くなっており、第１枝部５のＵ字状の先端を引っ掛けやすい。図２に、ゴミ袋の口部を閉じる操作が完了した状態を示す。
【００１３】
逆に、ゴミ袋１５の口部を開く操作は、図１（Ａ）〜（Ｄ）の操作を逆におこなう。このとき、第３枝部９から第１枝部５のＵ字状の先端を外した後に、第１枝部５の先端を前記巻きまわし方向（右回り方向）へ強く引っ張ることで、第１枝部５に留まっていた第２枝部７は容易に緩むので、この緩んだ第２枝部７を前記巻きまわし方向（右回り方向）へ移動すれば、第１枝部５から簡単に外れる。
【００１４】
「実施形態の効果」
この実施形態によれば、ゴミ袋１５の口部の側面に、袋開閉自在ゴムバンド１の両面テープ１１を接着することで、袋開閉自在ゴムバンド１をゴミ袋１５に容易に取り付けることができる。よってゴミ袋１５の口部を開いたときにも、袋開閉自在ゴムバンド１は取り付いたままで、なくすことがない。
【００１５】
更に、ゴムバンド３の弾性力と摩擦力で、ゴミ袋１５の口部を強く閉じることができる。特に、第２枝部７の中を通した第１枝部５の先端を、巻きまわし方向と反対の方向（左回り方向）へ巻き戻すことで、第２枝部７のＵ字状の内側部分と第１枝部５の外側部分は強い摩擦力で留まり、しかもゴムバンド３の弾性力が働いたままの状態で、ゴミ袋１５の口部を強く閉じることができる。
【００１６】
「他の実施形態」
以上の実施形態では、前記３つの枝部は、互いに長さや形状が異なるものであったが、他の実施形態では、同じ長さと形状を有するものであってもよい。
また、以上の実施形態では、第３枝部９は接着剤とテープ１３により固くなっているものであるが、他の実施形態では、長さをより長くすることで、あまり固くしなくても、第１枝部５のＵ字状の先端を引っ掛けやすくできる。
【００１７】
以上の実施形態では、生ゴミなどの臭いが問題になるゴミ袋について説明したが、他の実施形態では、開閉を行う他の袋についても、この発明を実施できる。すなわち、冷蔵庫の中で食品を保存する袋、湿り気を吸いやすいお菓子などを入れる袋、強い臭いが外部に漏れることが問題となる漬物などを入れる袋、乾燥してしまうことが問題となる食品を入れる袋などである。
【図面の簡単な説明】
【００１８】
【図１】（Ａ）（Ｂ）（Ｃ）（Ｄ）は、この発明の一実施形態を示す袋開閉自在ゴムバンドによるゴミ袋の口部を閉じる操作を順に示す斜視図である。
【図２】図１によりゴミ袋の口部を閉じる操作が完了した状態を示す斜視図である。
【図３】（Ａ）（Ｂ）（Ｃ）（Ｄ）は、この発明の一実施形態を示す袋開閉自在ゴムバンドの製造を順に示す図である。
【符号の説明】
【００１９】
１…袋開閉自在ゴムバンド、３…ゴムバンド、５…第１枝部、７…第２枝部、９…第３枝部、１１…両面テープ、１３…テープ。
【図１】
2005280813.tif 000003
【図２】
2005280813.tif 000004
【図３】
2005280813.tif 000005